(57)【要約】      （修正有）【課題】物品を吊り下げる構造を備える自動車の背もたれカバーを提供する。【解決手段】物品を吊り下げる構造を備える自動車の背もたれカバー１は主に上部エッジに貫通穴１１を備え、一方側或いは後方エッジに定位部品１２を設けるカバー部１と、異なる物品２に設け定位部品と対応関係となる連結部品２１とにより構成する。又、カバー部を自動車の椅子背もたれに被せ、椅子背もたれの枕を貫通穴に通して椅子背もたれを平たく覆うと、ティッシュボックス、ゴミ袋、或いはコップ置き等の物品２を連結部品２１とカバー部の定位部品１２との結合を用いて椅子背もたれの側面或いは後方に吊り下げて固定することができる。【選択図】図１
0003163458.tif 000002
【実用新案登録請求の範囲】
【請求項１】
上部エッジに貫通穴を備え、一方側或いは後方エッジに定位部品を設けるカバー部と、
異なる物品に設け定位部品と対応関係となる連結部品とにより構成される物品を吊り下げる構造を備える自動車の背もたれカバーは、カバー部を自動車の椅子背もたれに被せ、ティッシュボックス、ゴミ袋、或いはコップ置き等の物品を連結部品とカバー部の定位部品との結合を用いて椅子背もたれの側面或いは後方に吊り下げて固定することにより、車内空間の充分な利用を促し異なる物品の配置に役立て使用の便利性を高めることを特徴とする物品を吊り下げる構造を備える自動車の背もたれカバー。
【請求項２】
前記カバー部に設ける定位部品及び物品に設ける連結部品は雄雌マジックテープ（登録商標）とすることを特徴とする請求項１記載の物品を吊り下げる構造を備える自動車の背もたれカバー。
【請求項３】
前記カバー部に設ける定位部品及び物品に設ける連結部品はマグネットとすることを特徴とする請求項１記載の物品を吊り下げる構造を備える自動車の背もたれカバー。
【請求項４】
前記カバー部に設けた定位部品は水平方向の固定ベルトであるため、固定ベルトの両端はカバー部にミシン縫い付けするか粘着し、異なる物品に設けた連結部品は垂直方向の引掛ベルトとし、引掛ベルトは固定ベルトに通した後固定し更に固定ベルトに引き掛けられた状態で支持することを特徴とする請求項１記載の物品を吊り下げる構造を備える自動車の背もたれカバー。
【請求項５】
雄雌マジックテープ（登録商標）を備えた前記引掛ベルトは固定ベルトに通した後雄雌マジックテープ（登録商標）の相互結合により固定ベルトに引き掛けた状態で支持することを特徴とする請求項４記載の物品を吊り下げる構造を備える自動車の背もたれカバー。
【考案の詳細な説明】
【技術分野】
【０００１】
本考案は物品を吊り下げる構造を備える自動車の背もたれカバーに関し、特にティッシュボックス、ゴミ袋、或いはコップ置き等の物品を連結部品とカバー部との結合により椅子背もたれの側面或いは後方に吊り下げるか引き掛けて固定するもので、車内空間の充分な利用を促し、異なる物品の配置、更に良好な美観と物品使用の便利性を高める自動車の背もたれカバーである。
【背景技術】
【０００２】
一般の小型自動車の内部にはティッシュボックス、ゴミ袋等を配置する空間は特別に設計されておらず、よって、自動車の持ち主は自分で配置場所を探すのが普通である。例えば前後座席の足元、車のドア或いは後方窓に物品置きを設置したりして、前後背もたれに物品置きを設置する等である。ただ、物品置きをどこに設置するかに関わらず、前後を共に使用するのが難しいという欠点が常に残った。その後メーカーは、マグネットでティッシュボックスを車上部に吸着したりして紐を背もたれに縛る物品置きを設計した。
【考案の概要】
【考案が解決しようとする課題】
【０００３】
前記技術によって前後を共に使用するのが難しいという欠点を改善したものの、美観が損なわれ固定が難しい等の問題点はやはり残り理想的ではない故、出願人はこれらの欠点に鑑み研究と実験を重ねた結果、終に車内の物品を更に便利に配置し取り出し易くする本考案を生み出した。
【課題を解決するための手段】
【０００４】
本考案の主な目的は物品を吊り下げる構造を備える自動車の背もたれカバーを提供することにあり、特にティッシュボックス、ゴミ袋、或いはコップ置き等の物品を連結部品とカバー部の定位部品との結合により椅子背もたれの側面或いは後方に吊り下げるか引き掛けて固定するもので、車内空間の充分な利用を促し、異なる物品の配置、物品使用の便利性を高める効果を有する。
【０００５】
前記物品を吊り下げる構造を備える自動車の背もたれカバーにはカバー部を設け、前記カバー部の上部エッジには貫通穴を備え、カバー部の一方側には定位部品を設ける。また、物品を吊り下げる構造を備える自動車の背もたれカバーには更に異なる物品に設け定位部品と対応関係となる連結部品と設ける。これにより、カバー部を自動車の椅子背もたれに被せ椅子背もたれの枕を貫通穴に通すとカバー部は椅子背もたれを平たく覆い、ティッシュボックス、ゴミ袋、或いはコップ置き等の物品を連結部品とカバー部の定位部品との結合によって椅子背もたれの側面に吊り下げて固定することができるため、車内空間の充分な利用を促し異なる物品の配置に役立てられ更なる便利な使用ができる。
【０００６】
前記の物品を吊り下げる構造を備える自動車の背もたれカバーにおいて、カバー部に設ける定位部品と異なる物品に設ける連結部品はマジックテープ（登録商標）、マグネット、引掛ベルト等の何れかとする。
【０００７】
前記の物品を吊り下げる構造を備える自動車の背もたれカバーにおいて、カバー部に設ける定位部品はカバー部の後方エッジに設けることも可能であり、これによりカバー部を自動車の椅子背もたれに被せると、椅子背もたれの後方にティッシュボックス、ゴミ袋、或いはコップ置き等の物品を吊り下げられる。
【考案の効果】
【０００８】
本考案の物品を吊り下げる構造を備える自動車の背もたれカバーは、特にティッシュボックス、ゴミ袋、或いはコップ置き等の物品を連結部品とカバー部の定位部品との結合により椅子背もたれの側面或いは後方に吊り下げるか引き掛けて固定するもので、車内空間の充分な利用を促し、異なる物品の配置、物品使用の便利性を高める効果を有する。
【図面の簡単な説明】
【０００９】
【図１】本考案の第一実施例に関する立体分解図である。
【図２】本考案の第一実施例に関する取り付け図である。
【図３】本考案の第二実施例に関する立体分解図である。
【図４】本考案の第三実施例に関する立体分解図である。
【図５】本考案の他の実施例応用図（１）である。
【図６】本考案の他の実施例応用図（２）である。
【考案を実施するための形態】
【００１０】
図１及び図２に本考案の第一実施例に関する立体分解図及び取り付け図を示す。図の通り、本考案はカバー部１を設け、前記カバー部１の上部エッジには貫通穴１１を備え（本実施例においては前記カバー部１はベストタイプ或いは可愛らしい服飾タイプとする）、カバー部１の一方側には定位部品１２を設け、本第一実施例における前記定位部品１２は雌マジックテープ（登録商標）１２１とする。
【００１１】
異なる物品２（本実施例ではティッシュボックス）に設け前記カバー部１の定位部品１２と対応関係となる連結部品２１は雄マジックテープ（登録商標）２１１とする。
【００１２】
前記構成要素により、使用時はカバー部１を自動車の椅子背もたれ３に被せ椅子背もたれ３上方の枕３１を貫通穴１１に通すとカバー部１は椅子背もたれ３の前後左右表面を平たく覆い、ティッシュボックス、ゴミ袋、或いはコップ置き等の物品２をそれに設けた連結部品２１とカバー部１の定位部品１２との結合（雄マジックテープ（登録商標）と雌マジックテープ（登録商標）の相互結合）により椅子背もたれ３の側面に吊り下げて固定することができるため、車内空間を充分な利用を促し異なる物品２の配置に役立てられ更に自動車内の前後座席を便利に利用できる。
【００１３】
図３に本考案の第二実施例に関する立体分解図を示す。図の通り、本考案の第二実施例においてカバー部１の一側面に設けた定位部品１２は水平方向の固定ベルト１２２であるため、固定ベルト１２２の両端はカバー部１にミシン縫いするか粘着させる。
【００１４】
異なる物品２に設け前記カバー部１の定位部品１２と対応関係となる連結部品２１は垂直方向の引掛ベルト２１２とし、前記引掛ベルト２１２には雄マジックテープ（登録商標）２１３と雌マジックテープ（登録商標）２１４とを設ける。
【００１５】
前記の構成要素を用いて使用時はカバー部１を自動車の椅子背もたれ３に被せ椅子背もたれ３の枕３１を貫通穴１１に通すとカバー部１は椅子背もたれ３の前後左右表面を平たく覆い、ティッシュボックス、ゴミ袋、或いはコップ置き等の物品２をそれに設ける連結部品２１とカバー部１の定位部品１２との結合（引掛ベルト２１２を固定ベルト１２２に通した後雄マジックテープ（登録商標）２１３と雌マジックテープ（登録商標）２１４の相互粘着により引掛ベルト２１２を固定ベルト１２２に引き掛ける）により椅子背もたれ３の側面に吊り下げて固定することができるため、車内空間の充分な利用を促し異なる物品２の配置に役立てられ自動車内の前後座席を更に便利に使用できる。
【００１６】
図４に示したものは本考案の第三実施例に関する立体分解図である。図の通り、本考案の第三実施例において前記カバー部１の一方側に設ける定位部品１２はマグネット１２３とする。
【００１７】
異なる物品２に設け前記カバー部１の定位部品１２と対応関係となる連結部品２１はマグネット２１５とする。
【００１８】
前記構成要素を用いて使用時はカバー部１を自動車の椅子背もたれ３に被せ椅子背もたれ３上方の枕３１を貫通穴１１に通すとカバー部１は椅子背もたれ３の前後左右表面を平たく覆い、ティッシュボックス、ゴミ袋、或いはコップ置き等の物品２をそれに設ける連結部品２１とカバー部１の定位部品１２との結合（マグネット１２３とマグネット２１５の相互吸引）によって椅子背もたれ３の側面に吊り下げて固定することができるため、車内空間の充分な利用を促し異なる物品２の配置に役立てられ自動車内の前後座席を更に便利に使用できる。
【００１９】
図５及び図６には本考案の他の実施例図を示す。図の通り、本考案は前記実施例のティッシュボックスを固定する他、図５のようなゴミ袋や図６のようなコップ置き等の物品２を固定しゴミ捨てに使ったりコップを置くのに用いて本考案の実用価値を高める。
【００２０】
前記実施例においてカバー部に設ける定位部品及び物品に設ける連結部品を他の異なる部品にすることも可能である。しかも前記カバー部１の定位部品１２はカバー部１の後方エッジに設けることも可能であり、カバー部１を自動車の椅子背もたれ３に被せると、椅子背もたれ３の後方にティッシュボックス、ゴミ袋、或いはコップ置き等の物品２を吊り下げられ、構成の異なる使用状態が作られる。また、前述した多種の実施例は本考案の実施方式を説明するためのものであり本考案の登録請求の範囲を制限するものではない故、若干の修飾、変更は本考案の本質を失っておらず本考案の精神を逸脱するものではないことをここに記す。
【００２１】
前述した本考案はカバー部に設ける定位部品と物品に設ける連結部品とにより自動車の椅子背もたれの物品を吊り下げる構造を構成し、ティッシュボックス、ゴミ袋、或いはコップ置き等の物品を連結部品とカバー部の定位部品との結合によって椅子背もたれの側面または後方に吊り下げて固定することができるため、車内空間の充分な利用を促し異なる物品の配置に役立てられ更に便利な使用ができる物品を吊り下げる構造である。
【符号の説明】
【００２２】
１    カバー部
１１    貫通穴
１２    定位部品
１２１    雌マジックテープ（登録商標）
１２２    固定ベルト
１２３    マグネット
２    物品
２１    連結部品
２１１    雄マジックテープ（登録商標）
２１２    引掛ベルト
２１３    雄マジックテープ（登録商標）
２１４    雌マジックテープ（登録商標）
２１５    マグネット
３    椅子背もたれ
３１    枕
【図１】
0003163458.tif 000003
【図２】
0003163458.tif 000004
【図３】
0003163458.tif 000005
【図４】
0003163458.tif 000006
【図５】
0003163458.tif 000007
【図６】
0003163458.tif 000008